(57)【特許請求の範囲】
【請求項１】
両側一対の支柱にステップ板を適宜間隔で取り付けた昇降用ステップの固定装置であって、細長板状の曲げ部材をＬ字状に折り曲げて、被固定部を前方から垂直におよび下方から水平に押え込む下部押さえ部材と、被固定部を上方から水平に押え込む細長板状の上部押さえ部材とで固定部材を形成し、前記下部押さえ部材および上部押さえ部材は、前記支柱側部にそれぞれ垂直方向に回動自在に軸着し、前記下部押さえ部材は被固定部に差し込まれる差込片が支柱の左右両側に配設され、差込片の先端は水平杆で一体に連結されることを特徴とする昇降用ステップの固定装置。
【請求項２】
前記被固定部に差し込まれる差込片は、下部押さえ部材の水平部の先端から下方に向けて垂直に延設した請求項１記載の昇降用ステップの固定装置。
【発明の詳細な説明】
【技術分野】
【０００１】
本発明は、例えばトラック荷台の所要箇所に立て掛けて使用される梯子としての昇降用ステップの固定装置に関するものである。
【背景技術】
【０００２】
作業員が、トラックの荷台での作業のために荷台部に対し昇り降りしたり、荷台部から小荷物等を持って降りたりするためには昇降用ステップが必要である。
【０００３】
トラックの荷台は、周囲に開閉自在なあおりを有するが、トラックの荷台への乗り降りや昇降や荷の積み下ろしのための昇降用ステップとしては、車輪を有する階段構造の移動ステップが用いられるが、収納場所や設置の容易性に難があり、また、不要な際にはトラック荷台に搭載しておくのに適さない。
【０００４】
これに対して、このように、作業員が、トラックの荷台部での作業のために荷台部に対し昇り降りしたり、荷台部から小荷物等を持っておりたりするためのトラック専用の梯子は、従来、知られておらず、従って、トラック荷台部での昇降には、両側一対の支柱に踏杆を所要間隔おきに横架してなる普通の梯子が使用されている。
【０００５】
しかし、普通の梯子をトラックの荷台部の所要箇所、例えば、荷台部に取り付けてある煽り外板（左右各サイドにある側煽り外板及び後ろ側にある後煽り外板がある）にそのまま立て掛けて使用する場合、梯子が煽り板から転倒しやすいため、梯子を昇り降りする作業者以外の他の作業者等がその梯子を保持しなければならず、非常に面倒であった。
【０００６】
下記特許文献１は、普通の梯子に代わるものとして、トラック荷台部の煽り外板上端、あるいは煽り外板の上に取り付けられた手摺り、あるいはまた煽り外板を倒した状態での荷台部に立て掛けても、転倒したりすることなく、安全に自己保持させることができるとして提案されている。
【特許文献１】特開２００５−４８３８１号公報
【０００７】
これは図４に示すように、トラック用昇降梯子Ａは、両側一対の支柱１，１に踏杆２を所要間隔おきに横架してなる梯子３と、この梯子３の片側の支柱１に取り付けられる手摺４と、梯子３の両支柱１，１の夫々上部側に設けられ、トラックの荷台部５の立て掛け箇所に掛止される掛止具６から構成される。
【０００８】
梯子３の各支柱１は、図示は省略するが、支柱本体と、この支柱本体の下端部に伸縮調整自在に連結される伸縮部材とから構成され、伸縮部材の下端部には接地ベース９が枢着されている。接地ベース９の底面には滑り止めが施されている。
【０００９】
掛止具６は、梯子３の各支柱１に一端部を枢着された回動自在な回動板１０と、この回動板の先端部に固着された略Ｌ字状の掛止具本体１１と、梯子３が所定の傾斜角度の立て掛け姿勢にある時に掛止具本体１１を支柱１から前方へ水平に突出した掛止位置に保持する掛止位置保持手段と、掛止具本体１１を支柱１側に退避した退避位置に保持する退避位置保持手段とによって構成される。
【００１０】
使用方法について説明すると、昇降梯子Ａの使用にあたって、トラック荷台部５のあおりＲを倒した状態でそのあおりＲの基端部３７に昇降梯子Ａを立て掛けて使用する場合は、梯子３を地面Ｇに対して所定傾斜角度になるように前傾させながら、掛止具６の掛止具本体１１を荷台部５に枢着されているあおりＲの基端部３７に掛止させる。
【００１１】
あおりＲが荷台部５に対し起立させてあって、このあおりＲに立設されたガードバー３８の上端部に昇降梯子Ａを立て掛けて使用する場合にも、同様に、掛止具６の掛止具本体をガードバー３８の上横枠に掛止させる。
【００１２】
このように昇降梯子Ａをトラック荷台部５の所要箇所に立て掛けて使用する際には、梯子３の両支柱１，１の夫々上部側に設けた掛止具６が、トラック荷台部５の立て掛け箇所、即ち図５の例ではあおりＲの基端部３７、またガードバー３８の上横枠に掛止されて、自己保持されるから、作業者が梯子３を保持する必要がなく、従って昇降梯子Ａの使用に余分な作業員を必要とせず、昇降梯子Ａを安全に使用することができる。
【発明の開示】
【発明が解決しようとする課題】
【００１３】
ところで、トラック荷台のあおりは、荷の積み下ろし等の際に水平状態に倒した状態とすることができると、あおり上を作業員が載る作業スペースとして使用でき、荷台いっぱいに荷を積む場合に便利である。
【００１４】
しかし前記特許文献１のトラック用昇降梯子に取り付けてあるあおりへの固定装置である掛止具６は略Ｌ字状の掛止具本体１１を引っ掛けるもので、トラック荷台のあおりを垂直に立てた状態か、もしくはこの立てた状態から１８０°折り畳んで倒した状態に限定された使用であり、水平状態に倒したあおりに使用できる固定装置はなかった。
【００１５】
なお、特開２０００−３１００９３号公報には、マンホールなどの昇降時に使用する折畳み式タラップとして、マンホールの開口スラブに水平に掛止する固定金物が開示され、また、特開２００４−１２４３５９号公報には作業台の水平部に固定する取付部を備える踏み梯子が開示されている。
【００１６】
しかしながら、これらの発明に開示の固定装置は、いずれも開口スラブや作業台の端縁を上下から挟み込む構造とする場合、挟着力を付与するための締付けネジやバネを必要とし、構造が複雑となるだけでなく、取り付けの手間も要して作業性がよくなかった。
【００１７】
本発明は前記従来例の不都合を解消し、例えばトラック荷台のあおりを水平状態に倒した状態とすることで、あおり上を、作業員が載る作業スペースや荷の積み下ろし等の際の荷の仮置きスペースとして利用することを前提に、トラック荷台のあおりを水平状態に倒した状態で立て掛けても、滑ったりすることなく、安全に自己保持させることができ、梯子があおりの支持脚として水平に倒したあおりを支えることにもなり、あおりの荷重受け強度を増すこともできることに加えて、トラック荷台への取り付けの容易性および確実性、不使用の際、折畳んだ状態で突出部分も少なくて、ステップのトラック荷台への収納性にも優れる、例えばトラック荷台昇降用梯子などの昇降用ステップの固定装置を提供することを目的とする。
【課題を解決するための手段】
【００１８】
前記目的を達成するため、請求項１記載の本発明の昇降用ステップの固定装置は、両側一対の支柱にステップ板を適宜間隔で取り付けた昇降用ステップの固定装置であって、細長板状の曲げ部材をＬ字状に折り曲げて、被固定部を前方から垂直におよび下方から水平に押え込む下部押さえ部材と、被固定部を上方から水平に押え込む細長板状の上部押さえ部材とで固定部材を形成し、前記下部押さえ部材および上部押さえ部材は、前記支柱側部にそれぞれ垂直方向に回動自在に軸着し、前記下部押さえ部材は被固定部に差し込まれる差込片が支柱の左右両側に配設され、差込片の先端は水平杆で一体に連結されることを要旨とするものである。
【００１９】
請求項１記載の本発明によれば、例えばトラック荷台のあおりを水平状態に倒して、これに昇降用ステップを固定する場合、あおりの端部を下部押さえ部材と上部押さえ部材とで下方、前方および上方から挟むようにして押さえることで、昇降用ステップがあおりに固定される。
【００２０】
固定装置を使用しないときは、下部押さえ部材と上部押さえ部材とをそれぞれ支柱側部で支柱側に回動すれば、支柱に側部にそって折畳まれる。この状態で、特に上部押さえ部材が支柱から外方に突出しないから、収納性がよい。
【００２１】
また、下部押さえ部材は、支柱の左右両側に配設され、左右の差込片の先端は水平杆で一体に連結されるから、強度的にも信頼でき、例えばトラック荷台のあおりにしっかりと固定できる。
【００２２】
請求項２記載の本発明は、前記被固定部に差し込まれる差込片は、下部押さえ部材の水平部の先端から下方に向けて垂直に延設したことを要旨とするものである。
【００２３】
請求項２記載の本発明によれば、あおりを下方に向けて垂直に降ろした状態でも、下部押さえ部材の先端から垂設した差込片をあおりとトラック荷台の床部との隙間に上方から差し込むことで昇降用ステップが荷台に固定される。
【発明の効果】
【００２４】
以上述べたように本発明の昇降用ステップの固定装置は、例えばトラック荷台のあおりを水平状態に倒した状態とすることで、あおり上を、作業員が載る作業スペースとして荷の積み下ろし等の際の荷の仮置きスペースとして利用することを前提に、トラック荷台のあおりを水平状態に倒した状態で立て掛ける場合、簡単な作業で容易に固定でき、固定後は確実にステップを所定位置に保持できるものである。
【００２５】
さらに、固定装置を使用しないときは、下部押さえ部材および上ぶ押さえ部材をそれぞれ支柱の側部で回動し、支柱側部にそって折畳めば、支柱から大きく突出することなく支柱側部に収めることができ、収納性もよい。
【発明を実施するための最良の形態】
【００２６】
以下、図面について本発明の実施の形態を詳細に説明する。図１は本発明の昇降用ステップの固定装置の実施形態を示す要部である下部押さえ部材の斜視図、図２は本発明の固定部材を有するステップの斜視図である。
【００２７】
本発明の昇降用ステップの固定装置は、例えばトラック荷台のあおりの所要箇所に立て掛けて使用される梯子としてのトラック荷台昇降用ステップに設置されるものであって、昇降用ステップは、周知のように一対の支柱１，１間に複数の踏み桟３ａを適宜間隔で取り付けてなる梯子３により構成される。
【００２８】
本発明の固定装置は、梯子３に装着される下部の押さえ部材１２と、上部押さえ部材１５とで構成し、トラックの荷台に対して水平に倒したアオリの下部押さえ部材１２としては、図１、図３に示すように、細長板状の曲げ部材をＬ字状に折り曲げて、被固定部であるあおりＲを前方から押し込む垂直部１２ａと、下方から押し込む水平部１２ｂとで形成する。
【００２９】
この垂直部１２ａと水平部１２ｂとは、支柱１の左右の内側と外側の両側に設け、あおりを垂直方向に１８０度回転させて垂下した状態で、梯子３を荷台に固定するための部材として、この水平部１２ｂの先端から直角方向の下側に差込片１３を一体に突設し、左右の差込片１３の先端は水平杆１４でさらに一体に連結する。
【００３０】
さらに、細長コ字形に形成した取付部１６を垂直部１２ａから突設し、この取付部１６細長コ字形の開口内で支柱１を挟み込み、取付部１６の下部から突設した回動片１６ａを支柱１の左右両側に回動自在に軸着する。これにより、垂直部１２ａ、水平部１２ｂおよび差込片１３が回動自在に支柱１に取り付けられる。
【００３１】
支柱１に対して下部押さえ部材１２が突出する側とは反対の側に位置させて、取付部１６を固定位置に係止するストッパー１７を支柱１に回動自在に軸着する。このストッパー１７は、フック状に形成され、先端のフック部が取付部１６の下縁に係止する。
【００３２】
被固定部を上方から水平に押え込む細長板状の上部押さえ部材１５は、下部押さえ部材１２とは別体のものとして、細長板状体の端部を前記回動片１６ａの下方位置で支柱１の側部に回動自在に軸着した。
【００３３】
これにより、上部押さえ部材１５は、支柱１の左右側部から突出する垂直部１２ａ，１２ａの間に位置して下部押さえ部材１２の上方で水平部１２ｂとほぼ平行に出没自在となる。
【００３４】
そして、下部押さえ部材１２および上部押さえ部材１５、差込片１３、水平杆１４は、あおりやトラック荷台などに直接接触する部材であることから、あおりなどが損傷することを防止するために、軟質塩ビなどの軟質部材で被覆する。
【００３５】
図２に示す符号１８は、あおりを垂直に立てたままの状態で梯子３をあおりに固定する場合に使用する上部の固定部材である。
【００３６】
次に、例えば、トラック荷台のあおりに固定する梯子に本発明の固定装置を取り付けた場合を例にとって、使用法を説明する。不使用時には、図３に示すように下部押さえ部材１２は回動片１６ａの箇所で上方に回動し支柱１の側部にそって折畳まれている。
【００３７】
同様にして上部押さえ部材１５も端部を回動軸として下方に回動して支柱１と平行に折畳まれている。また、ストッパー１７も自重で下方に回動して支柱１にそって垂下している。よって、下部押さえ部材１２、上部押さえ部材１５およびストッパー１７も支柱１から大きく突出しないから、収納性がよい。
【００３８】
この状態から水平に倒したあおりに梯子３を固定するため、固定装置をあおりに固定するには、ストッパー１７を図３において時計方向で上方に回動しておき、次に上部押さえ部材１５を反時計方向に上方に回動する。これにより、ストッパー１７および上部押さえ部材１５が下部押さえ部材１２の回動の妨げにならないようになる。
【００３９】
そして、下部押さえ部材１２を回動片１６ａを介して時計方向に下方に回動すれば、図１に示す状態のように下部押さえ部材１２と上部押さえ部材１５とがあおり方向に水平に突出する。
【００４０】
よって、ストッパー１７の先端のフック部を取付部１６の上縁に係止して下部押さえ部材１２が収納方向に回動しないように固定する。
【００４１】
下部押さえ部材１２があおりの高さに合致するように梯子３の高さを調整し、水平部１２ｂと上部押さえ部材１５とで形成される開口にあおりの端部を合致させ、開口内であおりの先端が上部押さえ部材１５にあたるまで挿入する。この場合、上部押さえ部材１５は回動自在に形成してあるから、あおりの端部が上部押さえ部材１５に当たるまで差し込まれた状態が、奥まで挿入された状態であり、この位置で固定されガタツクことはない。
【００４２】
また、この状態ではあおりは上下から挟み込まれ、ストッパー１７により梯子３が倒れる方向に下部押さえ部材１２があおりから抜け出ることも阻止されているから、昇降時の安全を確保できる。
【００４３】
あおりをさらに下方に回動し、先端を下方に向けて垂直に倒した状態で、梯子３の固定装置をトラックに固定するには、先端の差込片１３をあおりとトラック荷台の床部との間に形成されている隙間に上方から差し込む。
【００４４】
これにより下部押さえ部材１２の水平部１２ｂがあおりの上部に当接した状態で差込片１３が狭い隙間に差し込まれ、昇降時にガタツクこともなく、梯子３が倒れる方向に差込片１３が抜け出るおそれもなく、安全に使用できる。
【００４５】
以上のように下部押さえ部材１２にあおりの端部を差し込むだけの作業、また、差込片１３をあおりとトラック床部の隙間に差し込むだけの作業で、固定装置を容易かつ確実にあおりなどに固定できる。
【００４６】
あおりを垂直に立てたまま状態で梯子３をあおりに固定するには、上部の固定部材１８を使用する。
【００４７】
前記実施形態は、トラック荷台への昇降用ステップに使用するものとして説明したが、これに限定されるものではなく、通常の梯子や昇降階段への固定装置としても使用可能なものである。
【図面の簡単な説明】
【００４８】
【図１】本発明の昇降用ステップの固定装置の実施形態を示す要部の斜視図である。
【図２】本発明の固定装置が実施されるトラック荷台昇降用ステップの斜視図である。
【図３】本発明の固定装置の実施形態を示す収納状態の側面図である。
【図４】従来のトラック用昇降梯子を示す全体斜視図である。
【符号の説明】
【００４９】
Ａ  昇降梯子                        Ｒ  あおり
Ｇ  地面                            １  支柱
２  踏杆                            ３  梯子
３ａ  踏み桟                        ４  手摺
５  荷台部                          ６  掛止具
９  接地ベース                      １０  回動板
１１  掛止具本体                    １２  下部押さえ部材
１２ａ  垂直部                      １２ｂ  水平部
１３  差込片                        １４  水平杆
１５  上部押さえ部材                １６  取付部
１６ａ  回動片  
１７  ストッパー                    １８  上部の固定部材
３７  基端部                        ３８  ガードバー
【図１】
0005534734.tif 000002
【図２】
0005534734.tif 000003
【図３】
0005534734.tif 000004
【図４】
0005534734.tif 000005